(57)【要約】【課題】本発明は、梃子（テコ）の原理を用い、なおかつ要介助者の重心移動（落差）を小さく抑えて移乗を実現する介護用移乗用具を提供する。【解決手段】本発明の介護用移乗用具は、略肩巾又は腰巾の間隔で２本平行に立設した主枠１，１と、該主枠１，１のそれぞれの中間部に一体に同一水平方向へ延びたあと、斜め上方に戻り前記主枠に連結された三角形状の補助枠２，２と、前記主枠１，１のそれぞれの下端部に固定されたキャスター３，３と、前記主枠１，１のそれぞれの上端部を隅曲部により一体に連結するハンドル２と、前記主枠１，１のそれぞれの下端部を一体に連結し、前記補助枠２，２と同一水平方向に延びた足受け５と、前記補助枠２，２の下部に前記主枠１，１の膝の高さ位置に一体に設けた膝受け６と、前記補助枠２，２の傾斜部分に跨って上下摺動可能に設けた腹受け７及び脇受け８，８とからなる。【選択図】図７
2010279396.tif 000002
【特許請求の範囲】
【請求項１】
略肩巾又は腰巾の間隔で２本平行に立設した主枠と、該主枠のそれぞれの中間部に一体に同一水平方向へ延びたあと、斜め上方に戻り前記主枠に連結された三角形状の補助枠と、前記主枠のそれぞれの下端部に固定されたキャスターと、前記主枠のそれぞれの上端部を隅曲部により一体に連結するハンドルと、前記主枠のそれぞれの下端部を一体に連結し、前記補助枠と同一水平方向に延びた足受けと、前記補助枠の下部に前記主枠の膝の高さ位置に一体に設けた膝受けと、前記補助枠の傾斜部分に跨って上下摺動可能に設けた腹受け及び脇受けとからなることを特徴とする介護用移乗用具。
【請求項２】
前記腹受けは、前記補助枠の三角形状の斜辺に跨って上下摺動可能に設けられたことを特徴とする請求項１記載の介護用移乗用具。
【請求項３】
前記脇受けは、ラチェット機構により上方へ尺取位置決めが可能であることを特徴とする請求項１記載の介護用移乗用具。
【請求項４】
前記足受けの反対側には、前記主枠を前傾させる時に介助者が足で踏んで前傾を安定させるブレーキバーを設け、さらにブレーキバーに一体に斜め上方に立ち上がった前傾規制バーを設け、前記前傾規制バーは前記主枠の前傾角度を制限することを特徴とする請求項１記載の介護用移乗用具。
【発明の詳細な説明】
【技術分野】
【０００１】
本発明は、高齢や疾病により立ち上がり動作が困難な人のベッド、車椅子、トイレへの移乗介助作業を容易にする介護用移乗用具に関する。
【背景技術】
【０００２】
高齢や疾病により立ち上がり動作が困難な人（以下、要介助者という。）のベッド、車椅子、トイレへの移乗介助作業は、釣り上げ型リフトやスライディングボードと云った福祉用具を用いる方法の他、介助者による引き上げ動作による方法が採られていた。
引き上げ動作は介助者の腰への負担が大きいほか、既存の福祉機器では大型の機器故に国内の介助現場では使いにくい場面が多く、スライディングボードでは移乗先、例えば車椅子形状を選ぶ必要から普及し難い面があった。
【０００３】
従来、立つことが出来ない要介護者を立たせることと、移乗と移動が楽に出来る介護用移乗器が知られている（特許文献１を参照）。
この公知技術は、昇降ハンドルの一方端に胸受け部を設け、ハンドルの途中を支軸に乗せ、介助者がハンドルを下げることにより、胸受け部に胸や腹部を当てがった要介護者は、梃子の原理で持ち上げられ、立ち上がることが出来、ベッドなどから車椅子や簡易トイレなどへの移乗が出来、立たせた状態で下着やオムツの上げ下ろしが出来しかも坐板を設置して腰掛の状態で簡易車椅子として移動が出来るので介助者の負担が無く楽に介助が出来る介護用移乗器である。
【０００４】
また、４個のキャスター間の間隔を広くすることによって、斜面や凹凸のある地面に用いて十分の安定性があり、尚かつ、車輪の前進が阻まれる広巾の便座や、下が塞がっているベッド等に座す患者に対しても十分に移乗を可能にした人体の移乗装置が知られている（特許文献２，３を参照）。
この公知技術は、台座に立てて固設した主柱と、該主柱の略々膝の高さ相当の位置に傾動自在に支承した枝柱と、この枝柱の先端部に設けられた体の保持具と、枝柱が出ている方向とは反対側の前記主柱の中間点に傾動自在に設けたペダルと、このペダルの傾動動作によって前記枝柱をペダルと同じ方向に回転傾動する為の連係手段とを備えた人体の移乗装置である。
【先行技術文献】
【特許文献】
【０００５】
【特許文献１】特開２００８-７３４９４号公報
【特許文献２】特許第２９４９１４４号公報
【特許文献３】特公平６−１８５９０号公報
【発明の概要】
【発明が解決しようとする課題】
【０００６】
本発明は、梃子（テコ）の原理を用い、なおかつ要介助者の重心移動（落差）を小さく抑えて移乗を実現する介護用移乗用具を提供することを目的とする。
【課題を解決するための手段】
【０００７】
本発明の介護用移乗用具は、略肩巾又は腰巾の間隔で２本平行に立設した主枠と、該主枠のそれぞれの中間部に一体に同一水平方向へ延びたあと、斜め上方に戻り前記主枠に連結された三角形状の補助枠と、前記主枠のそれぞれの下端部に固定されたキャスターと、前記主枠のそれぞれの上端部を隅曲部により一体に連結するハンドルと、前記主枠のそれぞれの下端部を一体に連結し、前記補助枠と同一水平方向に延びた足受けと、前記補助枠の下部に前記主枠の膝の高さ位置に一体に設けた膝受けと、前記補助枠の傾斜部分に跨って上下摺動可能に設けた腹受け及び脇受けとからなるものである。
前記腹受けは、前記補助枠の三角形状の斜辺に跨って上下摺動可能に設けられたものである。
前記脇受けは、ラチェット機構により上方へ尺取位置決めが可能である。
前記足受けの反対側には、前記主枠を前傾させる時に介助者が足で踏んで前傾を安定させるブレーキバーを設け、さらにブレーキバーに一体に斜め上方に立ち上がった前傾規制バーを設け、前記前傾規制バーは前記主枠の前傾角度を制限するものである、
【発明の効果】
【０００８】
本発明の介護用移乗用具は、梃子（テコ）の原理を用い、なおかつ要介助者の重心移動（落差）を小さく抑えて移乗を実現する小型の介護用移乗用具を提案することにより、移乗対象機器を選ばず、狭い室内で扱い容易な移乗作業を実現することができる。
【図面の簡単な説明】
【０００９】
【図１】本発明の介護用移乗用具の正面図である。
【図２】本発明の介護用移乗用具の平面図である。
【図３】本発明の介護用移乗用具の右側面図である。
【図４】本発明の介護用移乗用具の腹受けを上げ、脇受けを下げた状態の正面図である。
【図５】本発明の介護用移乗用具の腹受けを下げ、脇受けを上げた状態の正面図である。
【図６】本発明の介護用移乗用具の腹受けを分解して示す右側面図である。
【図７】本発明の介護用移乗用具の移乗させる状態の右側面図である。
【図８】本発明の介護用移乗用具を移動させる状態の右側面図である。
【図９】本発明の介護用移乗用具のベッドで使用した場合の右側面図である。
【図１０】本発明の介護用移乗用具を車椅子で使用した場合の右側面図である。
【発明を実施するための形態】
【００１０】
本発明の介護用移乗用具の一実施例を添付図面に基づいて、以下に説明する。
図１の正面図、図２の平面図、図３の右側面図に示すように、本発明の介護用移乗用具は、略肩巾又は腰巾の間隔で２本平行に立設した主枠１，１と、該主枠１，１のそれぞれの中間部に一体に同一水平方向へ延びたあと、斜め上方に戻り前記主枠に連結された三角形状の補助枠２，２と、前記主枠１，１のそれぞれの下端部に固定されたキャスター３，３と、前記主枠１，１のそれぞれの上端部を隅曲部により一体に連結するハンドル２と、前記主枠１，１のそれぞれの下端部を一体に連結し、前記補助枠２，２と同一水平方向に延びた足受け５と、前記補助枠２，２の下部に前記主枠１，１の膝の高さ位置に一体に設けた膝受け６と、前記補助枠２，２の傾斜部分に跨って上下摺動可能に設けた腹受け７及び脇受け８，８とからなる。
【００１１】
前記主枠１，１は、軽量かつ強度がある金属製パイプや繊維強化プラスチック製パイプなどで十分であり、要介助者が座位姿勢をとった時に頭部より上方にハンドル４が位置し、介助者が立った状態でハンドル４を掴むことができる長さとする。
前記補助枠２，２は、金属製パイプや繊維強化プラスチック製パイプなどの前記主枠１，１に一体に三角形状に形成され、三角形状の斜辺には両者に跨って上下摺動可能に設けた腹受け７及び脇受け８，８が設けられる。
【００１２】
前記キャスター３，３は、本発明の介護用移乗用具の梃子（テコ）の支点となる部分であり、前記主枠１，１を前傾させた時に前記キャスター３，３が支点となって前記足受け５と一体となって前記主枠１，１が回転するものである。
なお、図２に示すように、前記足受け５の反対側には、前記主枠１，１を前傾させる時に介助者が足で踏んで前傾動作を安定させるブレーキバー９を設け、さらにブレーキバー９に一体に斜め上方に立ち上がった前傾規制バー１０を設け、前記前傾規制バー１０は前記主枠１，１の前傾角度を制限するものである。
【００１３】
前記ハンドル４は、金属製パイプや繊維強化プラスチック製パイプなどの裸のままでもよいが、ゴム、合成樹脂等により滑らないように被覆したほうが良い。
前記足受け５には、平坦板を固定して要介助者が足を乗せられるようにする。
前記膝受け６は、要介助者の膝が当たる部分に緩衝材を貼り付け、両サイドは膝がはみ出ないように湾曲させた側壁部分を備える。
前記腹受け７は、前記補助枠２，２の三角形状の斜辺に跨って上下摺動可能に設けられ、図５に示す下方位置から図４に示す上方位置へ滑動移動可能であり、要介助者を移乗させる時には、図４の最上位置から図５の下方位置、すなわち要介助者の腹部位置へ滑動移動させる。
【００１４】
前記脇受け８，８は、ラチェット機構により上方へ尺取位置決めが可能であり、図６に示すＡ範囲を移動可能であって、下方へ移動させる時にはレバー（図示せず）を操作してラチェット機構のストッパー（図示せず）をはずす。要介助者を移乗させる時には、最下位置から要介助者の脇に当たる位置まで上げて両脇を支持する。
なお、図６のＢ範囲は、前記腹受け７の移動範囲である。
【００１５】
次に、本発明の介護用移乗用具の操作動作を添付図面に基づいて、以下に説明する。
図７に示すように、移乗元にいる要介助者に座位姿勢をとってもらう。なお、ベッド及びトイレでは浅く座ってもらう。
本発明の介護用移乗用具の腹受け７を最上位置に移動させ、脇受け８，８を最下位置にする。前記脇受け８，８にはラチェット機構があり、下向きに移動させる時はレバー（図示せず）を引き、ストッパー（図示せず）を外す。
本発明の介護用移乗用具を要介助者の足元に近づけ、足を足受け５に乗せてもらう。なお、麻痺がある場合は介助により足を足受け５に乗せる。
さらに、要介助者の膝が膝受け６に触れる位置まで本発明の介護用移乗用具を近付ける。
【００１６】
そして、前記腹受け７を要介助者の体格に合わせて下方にスライドさせ、本発明の介護用移乗用具を前傾させた時に、前記腹受け７が要介助者の上半身を支えるようにする。
次に、前記脇受け８，８が要介助者の脇の下になるように前傾姿勢をとってもらう。前記脇受け８，８を要介助者の体格に合わせて上方にスライドさせる。
図７に示す要介助者の前傾姿勢の状態で介助者（図示せず）はブレーキバー９を踏みながらゆっくりとハンドル４を引いて主枠１，１を前傾させる。
要介助者は座位姿勢で上半身を前傾させたまま、梃子の作用でキャスター３，３付近の支点を中心に前に傾けることで尻を持ち上げる。その際、要介助者は両手で主枠１，１を掴むようにする。
【００１７】
この尻を持ち上げた前傾姿勢のまま、前記腹受け７が要介助者の上半身を支えて、本発明の介護用移乗用具を移乗先に移動させる。
移乗先で介助者（図示せず）はブレーキバー９を踏みながらゆっくりとハンドル４を戻してキャスター３，３付近の支点を中心に後に傾けることで要介助者を移乗先に着座させる。
その後、移動元と逆手順で、すなわち脇受け８，８を下方にスライドさせ、腹受け７を上方にスライドさせ、さらに要介助者から本発明の介護用移乗用具を離す。
図９，１０は、移乗元及び移乗先として示したベッド１１及び車椅子１２の側面図であり、図９はベッド１１から移乗させる場合であり、図１０は車椅子１２から移乗させる場合である。
【符号の説明】
【００１８】
１  主枠
２  補助枠
３  キャスター
４  ハンドル
５  足受け
６  膝受け
７  腹受け
８  脇受け
９  ブレーキバー
１０  前傾規制バー
１１  ベッド
１２  車椅子
【図１】
2010279396.tif 000003
【図２】
2010279396.tif 000004
【図３】
2010279396.tif 000005
【図４】
2010279396.tif 000006
【図５】
2010279396.tif 000007
【図６】
2010279396.tif 000008
【図７】
2010279396.tif 000009
【図８】
2010279396.tif 000010
【図９】
2010279396.tif 000011
【図１０】
2010279396.tif 000012